(57)【要約】【課題】  ＡＲＴなどの特定遊技状態の連チャンの期待度を、獲得した複数のアイテムを一のアイテムに複合することにより変化させて、遊技の単調化を防止可能な遊技機を提供する。【解決手段】  スロットマシンは、一のアイテムの消費に基づいて継続演出が実行される場合には、所定割合で特定遊技状態が継続することを示すように制御し、複数のアイテムの消費に基づいて継続演出が実行される場合には、所定割合よりも高い割合で特定遊技状態が継続することを示すように制御する構成としてある。【選択図】      図８
2018130505.tif 000002
【特許請求の範囲】
【請求項１】
遊技者の開始操作に基づいて抽選を行い、当該抽選の結果に基づいて遊技者に有利な特定遊技状態の制御を行う遊技機において、
所定条件の成立に基づいて付与されるアイテムを管理するアイテム管理手段と、
前記アイテムの消費と関連して継続演出を実行し、当該継続演出において予め定められた割合で前記特定遊技状態が継続することを示すように制御する継続演出制御手段と、
を備え、
前記継続演出制御手段は、
一の前記アイテムの消費に基づいて前記継続演出が実行される場合には、所定割合で前記特定遊技状態が継続することを示すように制御し、
複数の前記アイテムの消費に基づいて前記継続演出が実行される場合には、前記所定割合よりも高い割合で前記特定遊技状態が継続することを示すように制御する
ことを特徴とする遊技機。
【請求項２】
前記アイテムを付与する演出を制御するアイテム付与演出制御手段を備え、
前記アイテム付与演出制御手段は、一の前記アイテムを付与する第１付与演出と、複数の前記アイテムを付与する第２付与演出と、を制御し、
前記第２付与演出には、
特定期間において所定条件を成立させることで複数の前記アイテムを付与することを示す予告演出と、
前記特定期間において所定条件が成立することに基づいて複数の前記アイテムを付与する付与演出と、を含む
ことを特徴とする請求項１に記載の遊技機。
【請求項３】
前記アイテム管理手段によって管理される複数の前記アイテムのうち、所定数の前記アイテムを表示するアイテム表示手段を備え、
前記アイテム表示手段は、消費される前記アイテムの順序を認識可能に表示する
ことを特徴とする請求項１又は２に記載の遊技機。
【請求項４】
前記アイテム表示手段は、前記アイテム管理手段によって管理される複数の前記アイテムのうち、前記所定数のアイテム以外の前記アイテムを特定箇所にまとめて表示する
ことを特徴とする請求項３に記載の遊技機。
【請求項５】
前記アイテムの種類には、第１アイテムと第２アイテムとが含まれ、
前記アイテム表示手段は、前記第１アイテムと前記第２アイテムとで表示する大きさを異ならせる
ことを特徴とする請求項３又は４に記載の遊技機。
【請求項６】
前記アイテム表示手段は、今回のゲームで消費される前記アイテムを特定の領域に表示するとともに、別の前記アイテムに変更して表示可能である
ことを特徴とする請求項３〜５のいずれか一項に記載の遊技機。
【請求項７】
前記継続演出制御手段は、前記継続演出において前記特定遊技状態が継続することを示さないように制御する場合に、前記アイテムを付与可能である
ことを特徴とする請求項１〜６のいずれか一項に記載の遊技機。
【請求項８】
前記継続演出制御手段は、特定の一の前記アイテムに基づいて複数ゲームに亘って行われる複数回の前記継続演出の実行を制御する
ことを特徴とする請求項１〜７のいずれか一項に記載の遊技機。
【請求項９】
前記特定遊技状態に関する情報を表示する情報表示手段を備え、
前記情報表示手段は、前記継続演出が実行される前と、前記継続演出が実行されているときとで表示する前記情報の種類を異ならせる
ことを特徴とする請求項１〜８のいずれか一項に記載の遊技機。
【発明の詳細な説明】
【技術分野】
【０００１】
本発明は、遊技者に有利な遊技状態を有する遊技機に関する。
【背景技術】
【０００２】
この種の遊技機として、スロットマシンがある。スロットマシンは、例えば、ＲＴ、ＡＴ、ＡＲＴなどと称される遊技者に有利な遊技状態を有している（例えば、特許文献１）。
ＲＴは、リプレイ・タイムの略称であり、通常、メダルを投入することなく次回遊技可能となるリプレイ役の当選率の高い遊技状態のことをいう。
また、ＡＴは、アシスト・タイムの略称であり、小役やリプレイ役の当選時において、例えば、目押しの目安となる図柄が報知されたり、停止ボタンの操作順序が報知されたりして、小役やリプレイ役等の入賞をアシストする遊技状態である。
また、ＡＲＴは、アシスト・リプレイ・タイムの略称であり、ＲＴとＡＴとが組み合されることにより、リプレイ役の当選率が高く設定されつつ、小役やリプレイ役等の入賞がアシストされる遊技状態となっている。
【０００３】
このような有利な遊技状態は、所定ゲーム数に亘って実行されるとともに、当該遊技状態中において継続抽選を行い、これに当選しなかったときには、所定ゲーム数の実行後に有利な遊技状態が終了し、通常遊技状態などの遊技者に不利な遊技状態に移行する。一方、継続抽選に当選したときには所定ゲーム数の実行後に再び有利な遊技状態が連続して実行されることになる。
【先行技術文献】
【特許文献】
【０００４】
【特許文献１】特開２０１５−２１３７０９号公報
【発明の概要】
【発明が解決しようとする課題】
【０００５】
ところが、このような従来の遊技機には、改善の余地があった。
【課題を解決するための手段】
【０００６】
上記課題を解決するため、本発明の遊技機は、遊技者の開始操作に基づいて抽選を行い、当該抽選の結果に基づいて遊技者に有利な特定遊技状態の制御を行う遊技機において、所定条件の成立に基づいて付与されるアイテムを管理するアイテム管理手段と、前記アイテムの消費と関連して継続演出を実行し、当該継続演出において予め定められた割合で前記特定遊技状態が継続することを示すように制御する継続演出制御手段と、を備え、前記継続演出制御手段は、一の前記アイテムの消費に基づいて前記継続演出が実行される場合には、所定割合で前記特定遊技状態が継続することを示すように制御し、複数の前記アイテムの消費に基づいて前記継続演出が実行される場合には、前記所定割合よりも高い割合で前記特定遊技状態が継続することを示すように制御する構成としてある。
【図面の簡単な説明】
【０００７】
【図１】遊技機の外観を示す概略正面図である。
【図２】遊技機の内部構成を示す概略斜視図である。
【図３】遊技機の制御構成を示すブロック図である。
【図４】遊技状態の種類を説明するための図である。
【図５】各遊技状態の特徴を示す図表である。
【図６】ＡＲＴ中の状態を説明するための図である。
【図７】アイテムの種類を示す図表である。
【図８】アイテムの特徴を示す図表である。
【図９】アイテムと継続演出との関係を示す図表である。
【図１０】アイテムの付与形態を説明するための図表である。
【図１１】ＡＲＴ中の通常パートの構成を説明するための図である。
【図１２】ＡＲＴ中の継続演出パートの構成を説明するための図である。
【図１３】一の継続演出において複数のアイテムを使用するときの構成を説明するための図である。
【図１４】通常パートにおいてアイテムの獲得をかけたミッション演出を行うときの図である。
【図１５】通常パートにおいてアイテムの獲得をかけた他のミッション演出を行うときの図である。
【図１６】ＡＲＴ継続抽選処理を示すフローチャートである。
【発明を実施するための形態】
【０００８】
本発明に係る遊技機の好ましい実施形態について、図１〜図１６を参照して説明する。
【０００９】
スロットマシン１は、本発明に係る遊技機の一実施形態であり、通常のスロットマシンと同様、前面に開口部を有する筐体１ｂと、開口部を開閉可能に覆う前扉１ａとを備えている。
前扉１ａは、リール４１ａ〜４１ｃそれぞれに表された連続する３つの図柄（識別情報）を機外から識別可能に構成されるとともに、遊技者により操作される複数の操作手段（２ａ，３，５）を備え、筐体１ｂは、リール４１ａ〜４１ｃを回転駆動させるドラムユニット４、メダルの払い出しを行うメダル払出装置７などの複数の装置、コンピュータとして動作する主制御部１０、副制御部２０などを備えている。
【００１０】
このようなスロットマシン１は、主制御部１０が遊技状態制御手段などとして動作することにより、以下のようなスロットマシン遊技を実行可能に構成されている。
【００１１】
ゲームの開始にあたり、メダル（クレジットメダルも含む）を用いて掛け数の設定を行う。
掛け数の設定は、メダル投入口２から直接メダルを投入して設定する方法と、ベットボタン２ａを押下操作して設定する方法とがある。
【００１２】
メダル投入口２からメダルを投入して掛け数を設定する方法では、投入されたメダルが前扉１ａ裏面に設けられたメダルセレクタ２ｂ（メダル検出手段）によって検知されることにより、投入分のメダル枚数に対応する掛け数（ただし、メダル３枚に対応する掛け数「３」が上限）が設定されることになる。
なお、掛け数の上限は、「１」、「２」、又は「４」以上でもよい。
【００１３】
ベットボタン２ａは、掛け数の設定に係る遊技者の操作を受け付け可能な操作手段の一例であり、これが押下操作されると、内部的にデータとして記憶されたクレジットメダルから、所定数（例えば、３枚）のメダル数が減算され、減算された分が掛け数として設定されることになる。
なお、ベットボタンは、ベットボタン２ａのみに限らず、設定される掛け数のそれぞれ異なるベットボタンを複数設けることもできる。また、クレジットメダルは、メダル投入口２からのメダル投入や入賞により加算され、例えば、メダル５０枚までクレジット（記憶）することができる。
【００１４】
このように、メダル投入口２からの直接投入やベットボタン２ａの押下操作により設定された掛け数は、主制御部１０に備えるＲＡＭなどの記憶手段に記憶される。
そして、掛け数が所定数（例えば、３枚）になったときに、１回の遊技を実行可能な権利を保有するゲーム開始可能な状態となる。
【００１５】
このゲーム開始可能な状態では、スタートレバー３の操作が有効な状態となる。この有効な状態において、スタートレバー３が傾動操作されると、ゲームが開始され、複数の図柄の表されたリール４１ａ〜４１ｃが変動を開始するとともに、リプレイ役、小役、ボーナス役などの複数の当選役（はずれを含む）の中から今回ゲームの抽選結果をリール４１の停止前に事前に決定する「内部抽選処理」が実行される。
「内部抽選処理」では、複数の当選役の中から今回ゲームの当選役を所定の当選確率に基づいて抽選により決定する。
なお、本実施形態では、「内部抽選処理」は、リール４１ａ〜４１ｃが定常回転に達する前に完了するものとするが、リール４１ａ〜４１ｃが回転を開始する前に完了するようにしてもよい。
【００１６】
各リール４１ａ〜４１ｃは、可変表示手段の一例であり、各リール４１ａ〜４１ｃの周面には、識別情報となる複数（通常２１個）の図柄として、例えば、「リプレイ」、「ベル」、「スイカ」、「チェリー」、「７」、「ＢＡＲ」などがそれぞれ表されており、停止状態から徐々に回転速度を上げた後、一定の速度で回転する定常回転に達する。
このような定常回転に達すると、各リール４１ａ〜４１ｃに対応して設けられた停止ボタン５ａ〜５ｃが押下操作可能な状態（停止ボタン５操作の有効化）となる。
【００１７】
停止ボタン５ａ〜５ｃは、リール４１の停止操作を行うための操作手段の一例であり、例えば、停止ボタン５ａ〜５ｃに内蔵されたＬＥＤ等の発光手段が点灯することにより押下操作可能な状態となり、このような状態において各停止ボタン５が押下操作されると、その操作タイミングと「内部抽選処理」の抽選結果とにより許容される図柄の組合せで停止するように、各リール４１ａ〜４１ｃが停止制御される。
【００１８】
停止状態では、リール４１ａ〜４１ｃそれぞれに表された上下方向に連続する３つの図柄が表示窓６から機外に臨むように停止（停止表示ということもある）し、このときの停止表示態様に基づいて入賞の有無が判定される。
入賞の判定は、所定の入賞ライン上に停止した図柄の組合せに基づいて判定され、例えば、上・中・下段３つのラインと斜め２つのラインの計５ラインいずれかの入賞ライン上に停止した図柄の組合せに基づいて判定される。
なお、入賞ラインの数は、５ラインに限らず、１ラインなどの任意なライン数とすることができる。
【００１９】
判定される図柄の組合せには、「小役」に対応する図柄の組合せとして、「左リール４１ａ・中リール４１ｂ・右リール４１ｃ」の順で、「ベル・ベル・ベル」（ベル役）、「チェリー・ＡＮＹ・ＡＮＹ」（チェリー役、ただしＡＮＹは任意の図柄）、「スイカ・スイカ・スイカ」（スイカ役）などがある。
また、「ベル役」には、停止ボタン５ａ〜５ｃに対する操作順序（押し順という）として６通りある押し順（例えば、「５ａ→５ｂ→５ｃ」，「５ｃ→５ｂ→５ａ」など）のうちの１通りの押し順によって、「ベル・ベル・ベル」に対応する図柄の組合せが停止する「押し順ベル」を設けることもできる。「押し順ベル」は、６通りある押し順それぞれに対応する「押し順ベル１〜６」を設けるとともに、各「押し順ベル１〜６」に当選したときのそれぞれに対応する押し順の報知は、ＡＲＴ中（ＡＴ中を含む）に行われる。
【００２０】
また、「リプレイ役」に対応する図柄の組合せとして、「リプレイ・リプレイ・リプレイ」（通常リプレイという）、「リプレイ・リプレイ・ベル」（チャンスリプレイ）などがある。
また、「リプレイ役」には、停止ボタン５ａ〜５ｃに対する操作順序（押し順という）として６通りある押し順のうちの１通りの押し順によって、「リプレイ・リプレイ・リプレイ」に対応する図柄の組合せが停止する「押し順リプレイ」を設けることもできる。「押し順リプレイ」は、６通りある押し順それぞれに対応する「押し順リプレイ１〜６」を設けるとともに、各「押し順リプレイ１〜６」に当選したときのそれぞれに対応する押し順の報知は、ＡＲＴ中（ＡＴ中を含む）に行われる。
また、「リプレイ役」には、通常状態からＲＴへの移行に係る図柄の組合せに対応する「昇格リプレイ」、ＲＴから通常状態への移行に係る図柄の組合せに対応する「転落リプレイ」もある。これらの当選役についても押し順が対応付けられ、例えば、「昇格リプレイ」に関しては、６通りある押し順のうちの１通りの押し順によって通常状態からＲＴへの移行に係る「昇格リプレイ」に対応する図柄の組合せが停止し、「転落リプレイ」に関しては、６通りある押し順のうちの５通りの押し順によってＲＴから通常状態への移行に係る「転落リプレイ」に対応する図柄の組合せが停止する。
【００２１】
また、「ボーナス役」には「ＢＩＧボーナス」（ビッグボーナス）と「ＲＥＧボーナス」（レギュラーボーナス）があり、「ＢＩＧボーナス」に対応するボーナス図柄の組合せとして、「７・７・７」があり、「ＲＥＧボーナス」に対応するボーナス図柄の組合せとして、「７・７・ＢＡＲ」などがある。
【００２２】
そして、入賞ライン上に停止した図柄の組合せを判定した結果、その図柄の組合せが上記それぞれに対応する図柄の組合せであるときに、図柄の組合せに応じた遊技価値が付与される。
【００２３】
例えば、ベル役、チェリー役、スイカ役などの小役に対応する図柄の組合せの停止により、小役入賞が判定され、メダル払出装置７が駆動制御されることにより、メダルの貯留されたホッパー７ａからメダル払出口７ｂを介して所定数のメダルが払い出される。
具体的には、「ベル役」に対応する図柄の組合せ（「ベル・ベル・ベル」）の停止により８枚のメダルが払い出され、「スイカ役」に対応する図柄の組合せ（「スイカ・スイカ・スイカ」）の停止表示により５枚のメダルが払い出される。
また、「チェリー役」では、左リール４１ａに停止する「チェリー」の位置に応じて、メダルの払い出し枚数が異なり、「チェリー」が「上段」又は「下段」に停止したときには（上段チェリー又は下段チェリーという）、２枚のメダルが払い出され、「チェリー」が「中段」に停止したときには（中段チェリーという）、１枚のメダルが払い出される。
なお、各当選役の当選確率は、「ＢＩＧボーナス」及び「ＲＥＧボーナス」を除く後述の各遊技状態において、「通常リプレイ」＞「ベル役」＞「上段・下段チェリー役」＞「スイカ役」＞「チャンスリプレイ」＞「中段チェリー役」の関係性、つまり、「通常リプレイ」が最も当選し易く、「中段チェリー役」が最も当選し難く設定されているものとする。
また、「ベル役」については、ＡＲＴ中において、１ゲーム当りメダルが２枚増加するような当選確率に設定されていてもよい。
また、メダルの払い出しは、クレジットメダルの上限数を超える分のみが払い出されるように構成することもできるが、図示しない所定の設定ボタンを事前に操作することにより、入賞が発生するごとに、入賞に対応するメダルが払い出されるように構成することもできる。
【００２４】
また、「リプレイ役」に対応する図柄の組合せ（例えば、「リプレイ・リプレイ・リプレイ」など）の停止により、リプレイ入賞が判定され、次回ゲームにおいてメダルの投入を行うことなく、すなわち、メダルを費やすことなく遊技可能な状態となる。
また、「ＢＩＧボーナス」及び「ＲＥＧボーナス」に対応するボーナス図柄の組合せ（例えば、「７・７・７」、「７・７・ＢＡＲ」など）の停止により、所定の小役（ベル役）に高確率で当選するボーナス遊技に移行する。
なお、上記各「ボーナス役」は、それに当選したゲーム及び当該ゲーム以降のゲームにおいても対応する図柄の組合せが停止しない限り、当選した権利を持ち越すことが好ましい。
【００２５】
このような一連の動作を１回の遊技とするスロットマシン遊技は、図３に示すように、主制御部１０が、ベットボタン２ａ、スタートレバー３、停止ボタン５などの操作手段やメダルセレクタ２ｂなどの入力手段からの入力情報に基づいて、リール４１ａ〜４１ｃやこれらを回転駆動させるパルスモータなどを備えるドラムユニット４、メダル払出装置７などの出力手段を制御することにより実現される。
【００２６】
また、スロットマシン１では、このようなスロットマシン遊技に同期した遊技演出も行われる。例えば、ＡＲＴへの移行を示す画像演出、ファンファーレ音、及びランプ演出などがそれぞれ、液晶ＴＶなどの表示器８（アイテム表示手段）、スピーカ９、及びＬＥＤ等の発光手段を備えるランプ１１などの報知手段を介して出力される。
このような報知手段は、副制御部２０により制御される。また、副制御部２０は、主制御部１０から所定の遊技タイミングごとに受信する制御コマンドに基づいてこれらを制御する。
【００２７】
副制御部２０は、演出制御手段の一例であり、主制御部１０からの指令に従った動作を実行可能に構成される。
例えば、副制御部２０は、主制御部１０に設けられた出力ポートなどの送信手段から所定の遊技タイミングごとに送信される制御コマンドを、当該副制御部２０に備える入力ポートなどの受信手段を介して受信するとともに、受信した制御コマンドを解読し、制御コマンドに応じた演出を行うように表示器８などの報知手段を制御する。
【００２８】
スロットマシン１は、このような構成に加えて、主制御部１０が継続演出制御手段、アイテム管理手段、及びアイテム付与演出制御手段として動作することにより、又、副制御部２０が主制御部１０と協働してアイテム付与演出制御手段として動作することにより、以下に示す特徴的なゲーム性を実現可能に構成されている。
【００２９】
本実施形態に係るスロットマシン１は、図４に示す複数種類の遊技状態を有している。
本実施形態の遊技状態は、「通常状態」と「有利状態」とに大別される。
また、「通常状態」は、「通常モード」と「チャンスモード」とに区分することができる。
また、「有利状態」は、「ＡＲＴ」と「ボーナス」とに大別される。
さらに、「ＡＲＴ」は、「通常ＡＲＴ」、「上乗せＡＲＴ」、及び「ボーナスＡＲＴ」などに区分することができる。また、「ボーナス」は前述したように「ＢＩＧボーナス」と「ＲＥＧボーナス」とに区分することができる。
また、この他にも、「内部抽選処理」において抽選される「リプレイ役」の当選確率の違いによって区分けされる複数のＲＴがあり、複数のＲＴはそれぞれ上記の遊技状態の一部と重複して又は単独で出現することもある。
【００３０】
また、「ＡＲＴ」、「ボーナス」の「有利状態」中と、「チャンスモード」中は、有利区間と定義され、この有利区間中は、図１及び３に示す有利状態ランプ１３を点滅又は点灯させる。
また、上記有利区間以外の非有利区間では、スロットマシン１が有する６段階の確率設定機能において、６段階の設定ごとに当選率に違いのあるボーナスか、当選率に違いのない（各段階の当選確率が同じ）ボーナスかなど、ボーナスの種類によってボーナス中における有利状態ランプ１３の点灯・非点灯を制御することもできる。特に、非有利区間中に当選したボーナスが、ＡＲＴに関する抽選を一切行わないボーナスであれば有利状態ランプ１３は非点灯でもよい。
なお、有利状態ランプ１３は、これに代えて、例えば、メダルの払い出し数を表示する払出数表示部などを構成する７セグの「ドット」部分等でもよい。
各遊技状態は、主制御部１０が遊技状態制御手段として動作することによりそれぞれの遊技状態に制御（以下、移行ともいう）され、以下のような特徴を有している。
【００３１】
「通常モード」と「チャンスモード」は、通常状態中の遊技状態であり、図５の表中の「×」が示すように遊技媒体の増加が見込めない遊技者に不利な遊技状態となっている。
「通常モード」と「チャンスモード」との違いは、ＡＲＴへの移行を抽選により決定する「ＡＲＴ移行抽選処理」における当選確率の違いであり、「チャンスモード」の方が「通常モード」よりも当選確率が高く、「通常状態」から「ＡＲＴ」に移行し易く設定されている。
この「ＡＲＴ移行抽選処理」は、「内部抽選処理」において所定の当選役に当選したときに主制御部１０において実行されることが好ましい。
【００３２】
当選役としては、「ベル役」、「上段・下段チェリー役」、「スイカ役」、「チャンスリプレイ役」、及び「中段チェリー役」などを例示することができ、これらに当選したときに、「ＡＲＴ移行抽選処理」を実行する。
この場合、「通常モード」と「チャンスモード」とで同じ当選役に当選したときには、「チャンスモード」の方が「通常モード」よりも当選確率を高く設定する。
例えば、「スイカ役」が当選役の場合では、「チャンスモード」の方が「通常モード」よりも「ＡＲＴ移行抽選処理」の当選確率を高く設定することができる。
また、「ＡＲＴ移行抽選処理」の当選確率は、「通常モード」と「チャンスモード」のそれぞれにおいて、「中段チェリー役」＞「チャンスリプレイ役」＞「スイカ役」＞「上段・下段チェリー役」＞「ベル役」の関係性を有している。つまり、「ベル役」よりも「中段チェリー役」の方が、当選確率を高く設定することができる。
【００３３】
「通常モード」と「チャンスモード」の相互間の移行は、例えば、「通常モード」中に実行される「昇格抽選処理」において当選したときに、「通常モード」から「チャンスモード」に移行し、「チャンスモード」中に実行される「転落抽選処理」において当選したときに、「チャンスモード」から「通常モード」に移行する。
この「昇格抽選処理」及び「転落抽選処理」は、「内部抽選処理」において、「ベル役」などの所定の当選役に当選したときに主制御部１０において実行される。
なお、「ＡＲＴ移行抽選処理」における当選確率の異なる遊技状態は、「通常モード」と「チャンスモード」の２つだけでなく、さらに、「ＡＲＴ移行抽選処理」における当選確率がそれぞれ異なる、１又は２以上の遊技状態を設けることもできる。
【００３４】
「ＡＲＴ」は、図５の表中の「○」が示すように遊技媒体の増加が見込める遊技者に有利な遊技状態となっている。
この「ＡＲＴ」は、「ＡＲＴ移行抽選処理」において当選することにより移行するＡＴと、このＡＴ中の押し順報知によって「昇格リプレイ」に対応する図柄の組合せが停止することにより移行するＲＴとが組み合された遊技状態である。
このＡＲＴ中では、「内部抽選処理」において抽選される「リプレイ役」（通常リプレイ）の当選確率が通常状態（例えば、１／７．３）よりも高いＲＴ（例えば、１／３）と、「押し順ベル１〜６」や「押し順リプレイ１〜６」に当選したときにそれぞれに対応する押し順を報知するＡＴとが重複した遊技状態となっている。
【００３５】
押し順の報知例として、例えば、「ＡＲＴ」中において「押し順ベル１〜６」のうち「押し順ベル１」に当選したときに、停止ボタン５が「５ａ→５ｂ→５ｃ」の順に操作されると、「押し順ベル１」に対応する図柄の組合せ（「ベル・ベル・ベル」）が停止する場合、表示器８において「左→中→右」などの表示を行い、スピーカ９から「左」、「中」、「右」の順でそれぞれの音声を出力する。
また、このとき、図１，３に示す副制御部２０によって制御されるナビランプ１２を、停止ボタン５の操作に応じて「１２ａ→１２ｂ→１２ｃ」の順に点灯させる。
つまり、表示器８、スピーカ９、ナビランプ１２などの操作情報報知手段を通じて停止ボタン５に対する操作をナビゲートする。
その結果、このナビゲート（報知）に従って遊技者が停止ボタン５を操作することにより、「押し順ベル１」に対応する図柄の組合せが停止され、規定のメダル８枚が払い出されることになる。
一方、「押し順ベル１〜６」に当選したときに、上記のようなナビゲートに従わずに、停止ボタンを操作にしたときには、「押し順ベル１〜６」に対応する図柄の組合せが停止されず、規定のメダル８枚が払い出されないことになる。
このような押し順の報知は、「ＡＲＴ」中において「押し順リプレイ１〜６」それぞれに当選したときも同様である。
なお、上記のナビランプ１２に加えて、主制御部１０によって制御されるナビランプを設けることができる。このナビランプは、メダルの払い出し数を視認可能に表示する払出数表示部（例えば、７セグ）に特定の記号を表示したり、払出数表示部を３桁の７セグで構成し「１２３」「２１３」等を表示したりして左中右のリールをどの順番に停止させるべきかの押し順を報知する。
【００３６】
また、「ＡＲＴ」において、「通常ＡＲＴ」は「通常状態」から移行し、「上乗せＡＲＴ」は「通常状態」又は「通常ＡＲＴ」から移行する。
「通常状態」から「上乗せＡＲＴ」に移行する場合には、「上乗せＡＲＴ」終了後は「通常ＡＲＴ」に移行することが好ましい。
また、「ボーナスＡＲＴ」は「通常状態」、「通常ＡＲＴ」又は「上乗せＡＲＴ」のいずれかから移行する。
また、「通常ＡＲＴ」、「上乗せＡＲＴ」、及び「ボーナスＡＲＴ」それぞれの「ＡＲＴ」への移行をかけた「ＡＲＴ移行抽選処理」を実行するにあたり、移行に係る当選率がそれぞれ異なることが好ましい。
【００３７】
本実施形態の「通常ＡＲＴ」は、特定遊技状態の一例であり、図６に示すように、「通常パート」とその後に実行される「継続演出パート」とが対を成す１セット（一連）のゲームとして構成されている。「通常パート」では、予め定められた所定ゲーム数（初期ゲーム数）に亘ってアイテムの獲得をかけた「アイテム獲得ゲーム」が実行される。
この「アイテム獲得ゲーム」は、アイテムの獲得を抽選により決定する「アイテム獲得抽選処理」の実行を伴う。
「アイテム獲得抽選処理」は、「内部抽選処理」において所定の当選役に当選したときに主制御部１０において実行される。
この場合の当選役としては、「ベル役」（押し順ベルを含む、以下同じ）、「上段・下段チェリー役」、「スイカ役」、「チャンスリプレイ役」、及び「中段チェリー役」などを例示することができ、これらに当選したときに、「アイテム獲得抽選処理」を実行する。
アイテムの獲得し易さは、「中段チェリー役」＞「チャンスリプレイ」＞「スイカ役」＞「上段・下段チェリー役」＞「ベル役」＞「押し順又は通常リプレイ」の関係性を有するものとする。例えば、「スイカ役」よりも「中段チェリー役」に当選した方が、アイテムが獲得し易く設定され、さらに、「スイカ役」よりも「中段チェリー役」に当選した方が、一度に獲得されるアイテムの数が多く設定されているものとする。
【００３８】
「継続演出パート」では、「通常パート」において獲得されたアイテムの数に応じて、「通常ＡＲＴ」の連チャン（継続ともいう）をかけた「ＡＲＴ継続抽選ゲーム」が実行される。
この「ＡＲＴ継続抽選ゲーム」は、詳しくは後述するものの、次回ＡＲＴ継続（連チャン）の成否を抽選により決定する「ＡＲＴ継続抽選処理」の実行を伴う。
【００３９】
「上乗せＡＲＴ」では、アイテムの大量獲得をかけた「アイテム大量獲得ゲーム」が実行される。
具体的には、「アイテム大量獲得ゲーム」は、アイテムの獲得を抽選により決定する「アイテム大量獲得抽選処理」の実行を伴う。
「アイテム大量獲得抽選処理」は、「内部抽選処理」において所定の当選役に当選したときに主制御部１０において実行される。
この場合の当選役としては、「押し順又は通常リプレイ」、「ベル役」（押し順ベルを含む、以下同じ）、「上段・下段チェリー役」、「スイカ役」、「チャンスリプレイ」、及び「中段チェリー役」などのすべての当選役とすることができ、これらに当選したときに「アイテム大量獲得抽選処理」が実行される。
アイテムの獲得し易さは、「中段チェリー役」＞「チャンスリプレイ」＞「スイカ役」＞「上段・下段チェリー役」＞「ベル役」＞「押し順又は通常リプレイ」の関係性を有するものとする。例えば、「スイカ役」よりも「中段チェリー役」に当選した方が、アイテムが獲得し易く設定され、さらに、「スイカ役」よりも「中段チェリー役」に当選した方が、一度に獲得されるアイテムの数が多く設定されている。
また、「アイテム大量獲得抽選処理」の当選確率は、「通常パート」中に実行される「アイテム獲得抽選処理」の当選確率よりも高く設定されている。つまり、「通常ＡＲＴ」の「通常パート」と「上乗せＡＲＴ」とで同じ当選役に当選したときには、「上乗せＡＲＴ」の方が「通常パート」よりも当選確率を高く設定する。
例えば、「チャンスリプレイ」が当選役の場合では、「上乗せＡＲＴ」の方が「通常パート」よりも「アイテム獲得抽選処理」の当選確率が高く設定されている。
また、「上乗せＡＲＴ」は、予め定められたゲーム数の実行が保証されるものの、予め定められたゲーム数の実行後は、「上乗せＡＲＴ」から「通常ＡＲＴ」への移行を抽選により決定することが好ましい。この抽選処理を「転落抽選処理」といい、「内部抽選処理」において、「ベル役」などの所定の当選役に当選したときに主制御部１０において「転落抽選処理」を実行し、これに当選したときに「上乗せＡＲＴ」から「通常ＡＲＴ」に移行させ、当選しなかったときには「上乗せＡＲＴ」にそのまま滞在させる。
また、予め定められたゲーム数の実行後、１ゲームごとに「上乗せＡＲＴ」継続の成否を抽選により決定する継続抽選処理を実行してもよい。
【００４０】
「ボーナスＡＲＴ」は、予め定められたゲーム数、又は、予め定められた回数の「ベル役」の入賞（当選でも可）、又は、予め定められたメダル数の獲得などの条件成立まで継続する「ＡＲＴ」である。
また、「通常状態」から移行した「ボーナスＡＲＴ」中は、「ボーナスＡＲＴ」終了後の「通常ＡＲＴ」又は「上乗せＡＲＴ」への移行をかけた「ＡＲＴ移行抽選処理」を実行する。
この「ＡＲＴ移行抽選処理」における当選確率、すなわち、「通常ＡＲＴ」又は「上乗せＡＲＴ」への移行し易さは、「通常モード」よりも高く、「チャンスモード」よりも低く設定されている。
一方、「通常ＡＲＴ」又は「上乗せＡＲＴ」から移行した「ボーナスＡＲＴ」中は、「ボーナスＡＲＴ」終了後の「継続演出パート」で使用するアイテムの獲得を抽選により決定する「アイテム獲得抽選処理」を実行する。
この「アイテム獲得抽選処理」における当選確率、すなわち、アイテムの獲得し易さは、「通常ＡＲＴ」（通常パート）よりも高く、「上乗せＡＲＴ」（「アイテム大量獲得抽選処理」）よりも低く設定されている。
また、「アイテム獲得抽選処理」の実行に代えて、予め定められた個数のアイテムを付与してもよい。
【００４１】
また、「ＢＩＧボーナス」及び「ＲＥＧボーナス」は、それぞれに対応するボーナス図柄の組合せ（例えば、「７・７・７」、「７・７・ＢＡＲ」など）の停止により、所定の小役に高確率で当選するボーナス遊技に移行する。このボーナス遊技は、例えば、払い出されるメダルの総数が「ＢＩＧボーナス」及び「ＲＥＧボーナス」それぞれにおいて予め設定された上限メダル数に達することで終了する。上限メダル数は、「ＢＩＧボーナス」＞「ＲＥＧボーナス」の関係を有している。
「ＢＩＧボーナス」及び「ＲＥＧボーナス」は、「通常状態」及び「ＡＲＴ」における「内部抽選処理」の当選役として設定されており、これらに当選したときには、「リプレイ役」（通常リプレイ）の当選確率が、通常状態（例えば、１／７．３）よりも高いＲＴ（例えば、１／３）に移行する。このＲＴは、当選したそれぞれの「ボーナス役」に対応する図柄の組合せが停止するまで継続される。
【００４２】
また、「ＢＩＧボーナス」及び「ＲＥＧボーナス」の終了後は、「ボーナス役」当選時の遊技状態に復帰する。
また、「通常状態」から移行した「ＢＩＧボーナス」又は「ＲＥＧボーナス」中は、当該「ボーナス」終了後の「通常ＡＲＴ」又は「上乗せＡＲＴ」への移行をかけた「ＡＲＴ移行抽選処理」を実行する。
この「ＡＲＴ移行抽選処理」における当選確率、すなわち、「通常ＡＲＴ」又は「上乗せＡＲＴ」への移行し易さは、「通常モード」よりも高く、「チャンスモード」と同等又はこれよりも低く設定されているものとする。
特に、「ＢＩＧボーナス」は「チャンスモード」と同等、「ＲＥＧボーナス」は「チャンスモード」よりも低く設定されているものとする。
一方、「通常ＡＲＴ」又は「上乗せＡＲＴ」から移行した「ＢＩＧボーナス」及び「ＲＥＧボーナス」中は、ボーナス終了後の「継続演出パート」で使用するアイテムの獲得を抽選により決定する「アイテム獲得抽選処理」を実行する。
この「アイテム獲得抽選処理」における当選確率、すなわち、アイテムの獲得し易さは、「通常ＡＲＴ」（通常パート）よりも高く、「上乗せＡＲＴ」（「アイテム大量獲得抽選処理」）と同等又はこれよりも低く設定されているものとする。
特に、「ＲＥＧボーナス」は「上乗せＡＲＴ」と同等、「ＢＩＧボーナス」は「上乗せＡＲＴ」よりも低く設定されているものとする。
また、「アイテム獲得抽選処理」の実行に代えて、予め定められた個数のアイテムを付与してもよい。
【００４３】
このような複数種類の遊技状態を有するスロットマシン１は、前述した「通常ＡＲＴ」中に実行される「アイテム獲得ゲーム」と「ＡＲＴ継続抽選ゲーム」において、以下に示すような特徴的なゲーム性を備えている。
なお、以下に説明する「アイテム獲得ゲーム」に関する内容は、「アイテム獲得抽選処理」の当選確率に違いがあるものの、前述した「アイテム大量獲得ゲーム」に適用することができるものとする。
【００４４】
［アイテム獲得ゲームとＡＲＴ継続抽選ゲーム］
「アイテム獲得ゲーム」は、図６示すように、「通常ＡＲＴ」の「通常パート」において行われ、アイテム獲得の成否をかけたゲームとして、「アイテム獲得演出」を行う。
「アイテム獲得演出」は、表示器８に表示される画像と、スピーカ９から出力される音声と、ランプ１１による発光演出とが一体化された演出となっている。
「アイテム獲得演出」におけるアイテム獲得の成否は、「アイテム獲得抽選処理」の抽選結果に基づいて決定される。
「アイテム獲得抽選処理」は、「内部抽選処理」において所定の当選役に当選したときに実行される。「通常パート」において実行可能なゲーム数（ただし、初期ゲーム数）を、例えば「３０ゲーム」としたときには、「通常パート」中には３０回の「内部抽選処理」が実行されることから、最大３０回の「アイテム獲得演出」が実行可能となる。
【００４５】
「アイテム獲得抽選処理」の当選役は、「ベル役」、「上段・下段チェリー役」、「スイカ役」、「チャンスリプレイ役」、及び「中段チェリー役」などであり、アイテムの獲得し易さは、「中段チェリー役」＞「チャンスリプレイ」＞「スイカ役」＞「上段・下段チェリー役」＞「ベル役」の関係性を有している。また、この関係性と、獲得可能なアイテムの個数や種類との間にも、正の相関性を有している。すなわち、「ベル役」に当選するよりも「中段チェリー役」に当選した方が、多くのアイテムを獲得し易く、さらに、「ＡＲＴ継続抽選ゲーム」において実行される「ＡＲＴ継続抽選処理」において継続当選率の高い種類のアイテムを獲得し易く設定されている。
また、獲得されるアイテムは、複数種類有し、それぞれのアイテムが独自の特徴を備えている。
さらに、獲得されたアイテムは、主制御部１０がアイテム管理手段として動作し、ＲＡＭ等の記憶手段において獲得順や種類別に記憶されて管理される。
【００４６】
そして、この「アイテム獲得ゲーム」において獲得されたアイテムの数に応じて、「ＡＲＴ継続抽選ゲーム」が実行されることになる。
「ＡＲＴ継続抽選ゲーム」は、図６示すように、「通常パート」終了後の「継続演出パート」において行われ、次回「通常ＡＲＴ」連チャン（継続）の成否をかけたゲームとして実行される。
「ＡＲＴ継続抽選ゲーム」は、スロットマシン遊技と同期して行われ、後述する例外を除き、スロットマシン遊技の１ゲームにつき、１回の「ＡＲＴ継続抽選ゲーム」が実行される。
また、この「ＡＲＴ継続抽選ゲーム」は、獲得されたアイテムを獲得順に１ゲームごとに１つずつ消費する形式で行われ、つまり、１つのアイテムにつき１回の「ＡＲＴ継続抽選ゲーム」が実行され、最大で獲得されたアイテム数に対応した回数分のゲームが実行可能となる。
「ＡＲＴ継続抽選ゲーム」中は、表示器８に表示される画像と、スピーカ９から出力される音声と、ランプ１１による発光演出とが一体化された「継続演出」が行われる。
この「継続演出」は、原則として１ゲームごとに完結するストーリー性を有しており、複数種類の演出が存在するとともに、それぞれがアイテムとの関連性を有している。
【００４７】
「継続演出」の種類は、一つの「ＡＲＴ継続抽選ゲーム」の実行に先立って、抽選により決定される。この抽選処理のことを「継続演出抽選処理」という。「継続演出抽選処理」において決定される「継続演出」の種類は、「内部抽選処理」における当選役と関連性を有しており、さらには、当該「継続演出」が実行されるときに消費されるアイテムの種類と関連性を備えている。
また、「継続演出」の種類には、「継続演出抽選処理」において決定され易い「継続演出」と、決定され難い「継続演出」とを設けてある。そして、決定され難い「継続演出」が実行されるときには、決定され易い「継続演出」が実行されるよりも、「ＡＲＴ継続抽選ゲーム」において、次回ＡＲＴの継続が決定し易く設定されている。
また、「継続演出」の結果として継続の成否が識別可能に報知（表示）されることになるが、この継続の成否は、前述したように、次回ＡＲＴ継続の成否を抽選により決定する「ＡＲＴ継続抽選処理」の抽選結果に基づいて決定される。
【００４８】
ここで、アイテム及び継続演出の種類と、これらの関連性について説明する。
アイテムは、「ＡＲＴ継続抽選ゲーム」を実行するための権利であり、その種類として、それぞれ独自の特徴を備える複数のアイテムが存在する。
例えば、本実施形態では、図７に示すように、「通常」、「特殊１」、「特殊２」、「特殊３」、「確定」の５種類のアイテムを設けてある。
これらのアイテムにおいて、「アイテム獲得抽選処理」における獲得のし易さは、「通常」＞「特殊１」＞「特殊２」＞「特殊３」＞「確定」の関係性を有するよう設定されているが、これには限らず、「通常」＞「特殊２」＞「特殊１」＞「特殊３」＞「確定」や、「通常」＞「特殊１」＞「特殊３」＞「特殊２」＞「確定」などの関係性でもよい。
そして、「ＡＲＴ継続抽選ゲーム」において獲得し難いアイテムが消費されるときには、獲得し易いアイテムが消費されるよりも、次回ＡＲＴの継続が決定し易く設定されている。
また、獲得し難いアイテムは、獲得し易いアイテムよりも識別し易く構成されている。例えば、図７は、アイテム表示手段としての表示器８に表示されるアイテムの種類を示しており、獲得し難いアイテムは獲得し易いアイテムよりも外形が大きい（「通常」（第１アイテム）よりも、「特殊１」（第２アイテム）、「特殊３」及び「確定」の方が大きいなど）とか、目立つ色彩により構成されているなどのように、獲得し難いアイテムは獲得し易いアイテムと比較して識別力が高い構成を備えている。
また、「アイテム」は、例えば、「ＡＲＴ継続抽選ゲーム」をマンガの主人公である味方キャラクタと敵キャラクタとが闘う、いわゆる「バトルゲーム」とした場合には、その「バトルゲーム」において、味方キャラクタが敵キャラクタに対して繰り出す「技」の種類、使用する「武器」の種類、乗り込む車や戦車等の「移動体」の種類などに紐づいていてもよい。
【００４９】
また、継続演出は、複数種類あり、それぞれが各アイテムと独自の関連性を有している。
例えば、本実施形態では、図９に示すように、「継続演出１」、「継続演出２」、１又は２以上の「その他の継続演出」の少なくとも３種類の「継続演出」を設けてある。
「継続演出」は、例えば、上記「バトルゲーム」における敵キャラクタの人物（敵キャラクタＡ〜Ｃ）や、戦闘シーンの背景の種類などに紐づいていてもよい。
【００５０】
このような「アイテム」と「継続演出」の特徴から、「ＡＲＴ継続抽選ゲーム」における連チャンの成否の決定は、「バトルゲーム」における「勝敗」の決定を意味する。また、「連チャンする」の決定は、「バトルゲーム」における「勝利」又は「勝ち」を意味し、「連チャンしない」の決定は、「バトルゲーム」における「敗北」又は「敗け」を意味する。
このような意味合いから、以下の説明において、「ＡＲＴ継続抽選ゲーム」における連チャンの成否の決定、「連チャンする」の決定、及び「連チャンしない」の決定に代えて、「勝敗」、「勝利」、「勝ち」、「敗け」、及び「敗北」などの文言を使用することもある。
【００５１】
続いて、各アイテムの特徴と、各アイテムの「継続演出」ごとの継続当選率について、図８及び図９を参照しながら説明する。
各アイテムの特徴は、「継続演出」との関連性を示すものであり、図９に示す「ＡＲＴ継続抽選処理」における継続当選率に基づいて具現化される。
例えば、「通常」は、第１アイテムの一例であり、各「継続演出」の種類に対して特別な優位性を持たない一般的なアイテムとして設定されている。
例えば、この「通常」が消費されるときの「継続演出」として、「継続演出１」（第１継続演出）が決定されたときには、図９に示すように、「１０％」の確率（第１の割合）で、「ＡＲＴ継続抽選処理」において当選するように設定されている。また、「継続演出２」（第２継続演出）が決定されたときには、「継続演出１」（第１継続演出）が決定されたときよりも高い「３０％」の確率で、「ＡＲＴ継続抽選処理」において当選するように設定されている。さらに、「その他の継続演出」が決定されたときには、「その他の継続演出」（第３継続演出）の種類に応じて、「２０〜３０％」の確率で、「ＡＲＴ継続抽選処理」において当選するように設定されている。
つまり、「通常」は、その継続当選率が継続演出の種類に依存するアイテムとして設定されているが、「継続演出１」（第１継続演出）に対しては、他の「継続演出」に比べて、継続当選率が低いことから、「ＡＲＴ継続抽選ゲーム」において消費するときのアイテムが「通常」のときには、遊技者は「継続演出１」（第１継続演出）が決定されないことを望みながら遊技を行うことになる。
【００５２】
「特殊１」は、第２アイテムの一例であり、比較的すべての「継続演出」に対して優位性を備え、特に、「継続演出１」に対して有利なアイテムとして設定されている。
この「特殊１」が消費されるときの「継続演出」として、「継続演出１」（第１継続演出）が決定されたときには、「ＡＲＴ継続抽選処理」において、「７０％」の確率（第２の割合）で当選するように設定されている。また、「継続演出２」（第２継続演出）が決定されたときには、「ＡＲＴ継続抽選処理」において、「５０％」の確率で当選するように設定されている。さらに、「その他の継続演出」が決定されたときには、「その他の継続演出」（第３継続演出）の種類に応じて、「ＡＲＴ継続抽選処理」において、「５０〜６０％」の確率で当選するように設定されている。
つまり、「特殊１」は、各継続演出に対する継続当選率が比較的高いアイテムとして設定されている。特に、「継続演出１」（第１継続演出）に対して、「通常」では「１０％」という低い確率（第１の割合）で当選するものの、「特殊１」では「７０％」という高い確率（第２の割合）で当選することから、「通常」よりも「特殊１」の方が、ＡＲＴが連チャンし易く設定されていることになる。
そうすると、「アイテム獲得ゲーム」においては、前述したように、「特殊１」よりも「通常」の方が獲得し易く設定されることから、「ＡＲＴ継続抽選ゲーム」において消費するアイテムの多くは「通常」が大半を占めるため、普段の「ＡＲＴ継続抽選ゲーム」では、遊技者は「継続演出１」（第１継続演出）が決定されないことを望みながら遊技を行うものの、「ＡＲＴ継続抽選ゲーム」において消費するアイテムが「特殊１」のときには、普段のときとは反対に、「継続演出１」（第１継続演出）が決定されることを望みながら遊技を行うことになる。
また、「継続演出２」（第２継続演出）に対しては、「通常」では「３０％」の確率（第３の割合）で当選し、「特殊１」では「５０％」の確率（第３の割合）で当選することから、それぞれのアイテムに応じた確率でＡＲＴが連チャンするように設定されていることになる。
特に、「ＡＲＴ継続抽選ゲーム」において消費するアイテムが「特殊１」のときには、遊技者は「継続演出２」（第２継続演出）が決定されるよりも、「継続演出１」（第１継続演出）が決定されることを望むことになる。
【００５３】
「特殊２」は、他の第２アイテムの一例であり、「継続演出１」に対する継続当選率が「通常」よりも高く、「継続演出２」に対する継続当選率が「通常」よりも低いアイテムとして設定されている。
具体的には、この「特殊２」が消費されるときの「継続演出」として、「継続演出１」（第１継続演出）が決定されたときには、「ＡＲＴ継続抽選処理」において、「通常」の「１０％」よりも高い「８０％」の確率で当選するように設定されている。また、「継続演出２」（第２継続演出）が決定されたときには、「ＡＲＴ継続抽選処理」において、「通常」の「３０％」よりも低い「１０％」の確率で当選するように設定されている。さらに、「その他の継続演出」が決定されたときには、「ＡＲＴ継続抽選処理」において、「その他の継続演出」（第３継続演出）の種類に応じて、「４０〜５０％」の確率で当選するように設定されている。
つまり、「特殊２」は、「継続演出１」に対する継続当選率が「通常」よりも高く、「継続演出２」に対する継続当選率が「通常」よりも低いアイテムとして設定されていることになる。
このような設定により、「アイテム獲得ゲーム」においては、前述したように、「特殊２」よりも「通常」の方が獲得し易く設定されることから、「ＡＲＴ継続抽選ゲーム」において消費するアイテムの多くは「通常」が大半を占めるため、普段の「ＡＲＴ継続抽選ゲーム」では、遊技者は「通常」に対する継続当選率の高い「継続演出２」（第２継続演出）が決定されることを望みながら遊技を行うものの、「ＡＲＴ継続抽選ゲーム」において消費するアイテムが「特殊２」のときには、普段のときとは反対に、「通常」に対する継続当選率の低い「継続演出１」（第１継続演出）が決定されることを望みながら遊技を行うことになる。
【００５４】
「特殊３」は、複数のアイテムの集合体であり、すべての種類の「継続演出」に対して有利に作用するアイテムとして設定されている。
具体的には、この「特殊３」が消費されるときの「継続演出」として、「継続演出１」、「継続演出２」、及び「その他の継続演出」が決定されたときには、「ＡＲＴ継続抽選処理」において、「８０％」の確率で当選するように設定されている。
この例では、一律「８０％」の確率で当選するように設定したが、「通常」の継続当選率よりも高ければ、「継続演出」の種類に応じて継続当選率が異なってもよい。
このように、複数のアイテムの集合体である「特殊３」は、「通常」、「特殊１」、及び「特殊２」などの単体のアイテムよりも継続当選率の高いアイテムとして設定されている。
【００５５】
「確定」は、「ＡＲＴ継続抽選ゲーム」において次回「通常ＡＲＴ」の連チャンが保証されるアイテムとして設定されている。
つまり、「確定」は、「ＡＲＴ継続抽選処理」において、「１００％」の確率で当選するように設定されているアイテムである。このような「確定」の特徴から、「確定」を消費するときの「ＡＲＴ継続抽選ゲーム」では、「ＡＲＴ継続抽選処理」を実行することなく、次回「通常ＡＲＴ」の連チャンを決定してもよい。
また、アイテムとして「確定」が獲得されたときには、「ＡＲＴ継続抽選ゲーム」において他のアイテムよりも優先的に消費される。つまり、「確定」以外にアイテムを獲得している場合には、「アイテム獲得ゲーム」におけるアイテム獲得の順番を問わず、かつ、「確定」以外のアイテムを消費することなく、「ＡＲＴ継続抽選ゲーム」の最初のゲームにおいて「確定」を消費することになる。
【００５６】
ここで、表示器８において表示される「アイテム獲得ゲーム」と「ＡＲＴ継続抽選ゲーム」の画面構成について、図１１〜図１５を参照しながら説明する。
「アイテム獲得ゲーム」は、図１１に示す「通常パート」において実行される。
この「通常パート」中は、当該「通常パート」が継続する残りゲーム数８１（画面左上）、ＡＲＴ中に獲得したトータルの獲得メダル数８２（画面右上）、当該「通常パート」中に獲得した獲得アイテム数８３ａ（画面右下）が表示される。また、当該「通常パート」中に獲得したアイテムの種類を表示することもできる（図１５の画面左下参照）。
また、「アイテム獲得ゲーム」中の画面としては、標準的に表示される図１１（ａ）の「通常演出画面８４」や、アイテムを獲得したときに表示される図１１（ｂ）の「アイテム獲得演出画面８５」などがある。
また、図１１（ｂ）の「アイテム獲得演出画面８５」では、当該演出を行った結果、獲得されたアイテム数８６を示す「＋１」が表示される（第１付与演出）。
【００５７】
「ＡＲＴ継続抽選ゲーム」は、図１２に示す「継続演出パート」において実行される。
この「継続演出パート」中は、現時点の「通常ＡＲＴ」が何連チャン目かを示す連チャン回数８７（画面左上）、ＡＲＴ中に獲得したトータルの獲得メダル数８２（画面右上）、当該一の「ＡＲＴ継続抽選ゲーム」において現に保有しているアイテムの一部又は全部の種類を識別可能に表示するアイテム表示領域８３０〜８３４（画面下）、アイテム表示領域８３０〜８３４に表示される以外の残りアイテム数を示すアイテム数８３ｂが特定箇所にまとめて表示される。
さらに、「ＡＲＴ継続抽選ゲーム」中の画面としては、「継続演出」の内容を示す「継続演出画面８８」などが表示される。
このように、「継続演出パート」中は、「継続演出パート」が実行される前（「通常パート」）と、「継続演出パート」が実行されているときとで、表示する情報が異なっている。
例えば、「継続演出パート」中では、「通常パート」中に表示される残りゲーム数８１に代えて、連チャン回数８７が表示され、アイテム表示領域８３０〜８３４が追加的に表示されている。
【００５８】
また、アイテム表示領域８３０〜８３４は、保有するアイテムの一部又は全部が「ＡＲＴ継続抽選ゲーム」中に消費する順番（順序）で並んで表示されている。
例えば、特定の領域８３０には、今回（１番目）の「ＡＲＴ継続抽選ゲーム」において消費するアイテムが表示され、領域８３１には、上記今回を１番目としたときの２番の「ＡＲＴ継続抽選ゲーム」において消費する予定のアイテムが表示され、領域８３２には、３番目の「ＡＲＴ継続抽選ゲーム」において消費する予定のアイテムが表示され、領域８３３には、４番目の「ＡＲＴ継続抽選ゲーム」において消費する予定のアイテムが表示され、領域８３４には、５番目の「ＡＲＴ継続抽選ゲーム」において消費する予定のアイテムが表示される。そして、６番目以降の「ＡＲＴ継続抽選ゲーム」において消費する予定の残りアイテム数を示すアイテム数８３ｂが特定箇所にまとめて表示される。
つまり、アイテム表示領域８３０〜８３４には、保有するアイテムの一部又は全部が消費するアイテムの順序を遊技者が認識できるよう表示されている。
また、一つの「ＡＲＴ継続抽選ゲーム」において「敗け」すなわち「連チャンしない」が決定されたときには、各アイテム表示領域８３２〜８３４のアイテムが画面右から左に１つずつシフトするように移動するとともに、領域８３１のアイテムが領域８３０に画面下から上に１つシフトするように移動する。また、この移動に伴い、アイテム表示領域８３０〜８３４以外に保有しているアイテム数８３ｂが、１つ減算され、例えば、図１２に示す例では、アイテム数８３ｂが「１４」から「１３」に減算される。
【００５９】
このように、一つの「ＡＲＴ継続抽選ゲーム」において一つのアイテムを消費することが原則ではあるものの、前述の「特殊３」のように、一つの「ＡＲＴ継続抽選ゲーム」において複数のアイテムを一度に消費させることもできる。
具体的には、一つの「ＡＲＴ継続抽選ゲーム」において複数のアイテムを消費させるときには、図１３（ａ）に示すように、特定箇所にまとめて表示されるアイテム数８３ｂ（例えば、「１４」）が２つ以上減算されるとともに、減算されたときに生成されるアイテムが、図１３（ｂ）に示すように、「特殊３」の形態を形成し、さらに、複数のアイテムの数を示す数値（例えば、「×３」）が識別可能に表示される。
このような「特殊３」の生成タイミングは、所定の抽選処理によって当選したときとすることもできる。この抽選処理は、アイテム数８３ｂの残りが所定数（例えば、５つ）以上のときに、実行されることが好ましい。また、抽選に代えて又は加えて遊技者の操作によって「特殊３」を生成してもよい。この場合、ベットボタン２ａを操作する前のスタートレバー３操作や停止ボタン５操作などのタイミングに基づいて生成することができる。
また、アイテム数８３ｂから生成するだけでなく、アイテム表示領域８３０〜８３４に表示されるアイテムのうち、２以上の任意のアイテムを結合又は合体させて「特殊３」を生成してもよい。
このような「特殊３」を消費するときは、１つの「ＡＲＴ継続抽選ゲーム」において、複数の「技」や「武器」などを順次繰り出す又は複合させて一度に繰り出す継続演出を実行する。
【００６０】
また、「特殊３」を含め、１つのアイテムを１つの「ＡＲＴ継続抽選ゲーム」において消費するだけでなく、１つのアイテムを複数（２つ以上）の「ＡＲＴ継続抽選ゲーム」に亘って消費させてもよい。
具体的には、３回の「ＡＲＴ継続抽選ゲーム」に亘って消費する専用アイテムを設けた場合には、他のアイテムを消費することなく３回の「ＡＲＴ継続抽選ゲーム」を実行することができる。このとき、１〜３回目のそれぞれ、又は、一部において継続当選率を他の「ＡＲＴ継続抽選ゲーム」と異ならせてもよい。少なくとも「通常」アイテムを１つ使用した場合よりも、この専用アイテムを使用して３回の「ＡＲＴ継続抽選ゲーム」を実行した場合の方が、継続当選率が高くなるようにすることが望ましい。
また、継続当選率の比較的高い既存の「特殊１」や「確定」が備えるそれぞれの継続当選率を複数の「ＡＲＴ継続抽選ゲーム」で消費可能に除算することにより、個々の「ＡＲＴ継続抽選ゲーム」に対応する継続当選率を有するとともに、複数の「ＡＲＴ継続抽選ゲーム」に亘って消費可能な変形アイテムを設けることもできる。例えば、「確定」を２つの「ＡＲＴ継続抽選ゲーム」で消費可能に「２」で除算することにより、それぞれ５０％の継続当選率を有する「確定」の変形アイテムを生成することもできる。
このような専用アイテムや変形アイテムを複数（２つ以上）の「ＡＲＴ継続抽選ゲーム」に亘って消費するときには、これを消費する複数の「ＡＲＴ継続抽選ゲーム」のうち、現在のゲームが何ゲーム目かを識別可能に表示することができる。また、複数の「ＡＲＴ継続抽選ゲーム」のうち、先のゲームで「勝利」するほど、所定の特典が付与され易いなどの格差を設けることもできる。
この場合の特典としては、連チャン後の「アイテム獲得ゲーム」で実行される「アイテム獲得抽選処理」における当選確率を高く設定したり、連チャン後の「通常ＡＲＴ」で実行される「通常パート」のゲーム数を増加（上乗せ）させたり、連チャン後に「上乗せＡＲＴ」に移行させ易くするなどの特典を挙げることができる。
【００６１】
以上のような画面構成からなる「ＡＲＴ継続抽選ゲーム」は、上記「特殊３」などの一部の例外を除いて、「通常パート」中に獲得したアイテム数に応じた回数に亘って行われる。しかしながら、遊技者にとっては、保有するすべてのアイテムを消費することなく、「勝利」が決定、すなわち、連チャンが決定されることが好ましい。
保有するすべてのアイテムを消費することなく、「勝利」が決定したときの残りアイテムは、次回連チャン時に実行される「継続演出パート」（「ＡＲＴ継続抽選ゲーム」）まで持ち越されることになる。
【００６２】
また、「ＡＲＴ継続抽選ゲーム」では、消費する各アイテムの「継続演出」ごとの継続当選率（図９参照）に基づいて「ＡＲＴ継続抽選処理」を実行することになるが、「ＡＲＴ継続抽選ゲーム」の進行状況などに応じて、図９に示す各アイテムの「継続演出」ごとの継続当選率を変化させたり、遊技者を救済する処理などを設けたりすることもできる。
【００６３】
例えば、「ＡＲＴ継続抽選ゲーム」において、アイテムの消費によりＡＲＴが終了しなくても、「バトルゲーム」において所定回数連続して「敗け」続けたときには、それ以降の継続演出において、図９に示す各アイテムの「継続演出」ごとの継続当選率をアップさせるという救済処理を設けることもできる。具体的には、「バトルゲーム」において２０回連続して「敗け」続けたときには、その後、実行される２１回目の「ＡＲＴ継続抽選ゲーム」において、図９に示す各アイテムの「継続演出」ごとの継続当選率を一律３０％アップさせることもできる。つまり、継続演出においてＡＲＴが継続することを示さないように制御することが所定回数連続した場合に、次の継続演出において第１の割合（例えば、「通常」のアイテムの「継続演出１」に対する継続当選率１０％）よりも高い割合（継続当選率４０％）でＡＲＴが継続することを示すように制御する。そして、このアップを「バトルゲーム」において「勝利」するまで持続させることもできる。
なお、上記の例において、所定回数（例えば、２０回）連続して「敗け」続け、アイテムの消費によりＡＲＴが終了したときには、その後、新たに発生するＡＲＴの「ＡＲＴ継続抽選ゲーム」（２１回目）において、図９に示す各アイテムの「継続演出」ごとの継続当選率を「バトルゲーム」に「勝利」するまでアップさせてもよい。
【００６４】
また、例えば、「ＡＲＴ継続抽選ゲーム」において所定回数連続して、次回連チャンが決定されたとき、すなわち、「バトルゲーム」において所定回数連続して「勝ち」続けたときには、所定回数の連チャン後に発生するＡＲＴにおいて、「確定」アイテムを１つ以上付与したり、所定回数の連チャン後に発生するＡＲＴにおいて、通常の「ＡＲＴ継続抽選ゲーム」とは異なる、例えば、図９に示す各アイテムの「継続演出」ごとの継続当選率がそれぞれアップ（例えば、一律３０％アップ）する特殊「ＡＲＴ継続抽選ゲーム」を実行したりすることもできる。つまり、継続演出においてＡＲＴが継続することを示すように制御することが所定回数連続した場合に、次のＡＲＴにおいて第１の割合（例えば、「通常」アイテムの「継続演出１」に対する継続当選率１０％）よりも高い割合（継続当選率４０％）でＡＲＴが継続することを示すように制御することもできる。
【００６５】
また、継続演出においてＡＲＴが継続することを示さないように制御する場合に、アイテムを付与することもできる。
例えば、「ＡＲＴ継続抽選ゲーム」において、保有しているアイテムのすべてを消費し、消費するアイテムがなくなったとき、すなわち、次回連チャンが決定されないままＡＲＴが終了するとき、最後に消費したアイテムと同じ種類のアイテムを付与したり、アイテムの種類を問わず追加的にアイテムを１以上付与したり、などの救済パターンを設けることもできる。
また、上記のように、保有しているアイテムのすべてを消費し、消費するアイテムがなくなったときに限らず、「バトルゲーム」において一の「敗け」が発生した後の任意のタイミングで、１以上のアイテムを付与してもよい。
【００６６】
また、所定条件の成立時において、アイテム表示領域８３０〜８３４（８３ｂも含めてもよい）に表示されるアイテムのランクを格上げしてもよい。例えば、「通常」を「特殊１」に、「特殊１」を「特殊２」に、「特殊２」を「特殊３」に、「特殊３」を「確定」に格上げすることもできる。
また、アイテム表示領域８３０〜８３４（８３ｂも含めてもよい）に表示されるアイテムの中で、今回ゲームで消費されるアイテム表示領域８３０のアイテムだけを、これよりもランクの高い別のアイテムに変更することもできる。
【００６７】
また、「通常パート」において実行される「アイテム獲得演出画面」では、図１１（ｂ）に示すように、１つのアイテムを付与する場合（第１付与演出）を例示したが、一の「アイテム獲得ゲーム」において複数のアイテムを付与することもできる。
アイテムの付与は原則として、「通常パート」中の「内部抽選処理」において所定の当選役に当選したときに実行される。前述したように、「アイテム獲得抽選処理」の当選役は、「ベル役」、「上段・下段チェリー役」、「スイカ役」、「チャンスリプレイ役」、及び「中段チェリー役」などであり、アイテムの獲得し易さは、「中段チェリー役」＞「チャンスリプレイ」＞「スイカ役」＞「上段・下段チェリー役」＞「ベル役」の関係性を有している。この関係性と相関性を持たせつつ、付与するアイテムの個数及び種類を決定することが好ましい。
このようなアイテムの付与数及び付与するアイテムの種類は、当選役ごとに設けられた抽選テーブルにおいて予め設定される。特に、「中段チェリー役」、「チャンスリプレイ」、「スイカ役」などのレア役に当選したときには、一度の当選で２以上のアイテムを付与することもできる。
アイテムの付与形態としては、図１０に示すように、３つの形態を設けることができる。
具体的には、１ゲームにおいて１つのアイテムを付与する「通常」と、１ゲームにおいて複数のアイテムを付与する「複数１」と、複数ゲームに亘る演出（予告演出）を経て複数のアイテムを付与する「複数２」などを設けることができる。
ここで、「複数２」を例示する「アイテム獲得ゲーム」の画面構成について、図１４を参照しながら説明する。
【００６８】
図１４は、第２付与演出の一例であり、複数ゲームに亘る演出を経て複数のアイテムを付与する「アイテム獲得ゲーム」の一例である。これらの例では、遊技者にミッションを課して、このミッションを達成したときに、複数のアイテムを付与し、ミッションを達成できなかったときには、アイテムを付与しないというゲームを採用している。
図１４に示すミッションは、「１０ゲームという特定期間以内にチェリー（上段・中段・下段チェリー）に当選させる」というものであり、表示器８の画面には、図１４（ａ）に示すように、「１０ゲーム以内にチェリーに当選すればアイテム５個ゲット！」のメッセージ８４ａ（予告演出）を表示させる。そして、「１０ゲーム以内にチェリーに当選した」ときには、図１４（ｂ）に示すように、「チェリー当選！！」のメッセージ８５ｂ（付与演出）を表示させるとともに、５個のアイテムを示す獲得アイテム数８６（付与演出）を表示させる。また、５個のアイテムの付与により、獲得したアイテム数８３ａ（画面右下）が図１４（ａ）の「１１」から図１４（ｂ）の「１６」に変更される。
このようなミッションにより、複数ゲームに亘る演出を経て複数のアイテムを付与する「複数２」の付与形態を実現できる。
【００６９】
また、複数ゲームに亘る演出（予告演出）を経て１つのアイテムを付与するパターンも設けることができる。図１５に示すミッションは、「１０ゲームという特定期間以内にスイカに当選させる」というものであり、表示器８の画面には、図１５（ａ）に示すように、「１０ゲーム以内にスイカに当選すれば継続確定アイテムゲット！」のメッセージ８４ａ（予告演出）を表示させる。そして、「１０ゲーム以内にスイカに当選した」ときには、図１５（ｂ）に示すように、「スイカ当選！！」のメッセージ８５ｂ（付与演出）を表示させるとともに、「確定」のアイテム８６（画面左下、付与演出）を表示させる。
このようなミッションにより、複数ゲームに亘る演出を経て１つのアイテムを付与する付与形態を実現できる。
なお、このような「複数ゲーム」に亘る演出は、この「複数ゲーム」が残りゲーム数８１（画面左上）よりも多く、さらに、当該「複数ゲーム」に亘る演出の実行を抽選により決定する抽選処理において当選するなどの条件成立に基づいて行われることが好ましい。
【００７０】
また、アイテムは、「通常パート」中に実行される「アイテム獲得抽選処理」で当選したときに付与するものとしたが、これに代えて又は加えて、「内部抽選処理」において所定の当選役に当選する度に減算される特定値が「ゼロ」になったときに、少なくとも１つのアイテムを付与する「ポイント減算方式」を採用することもできる。
例えば、「通常パート」移行後に特定値の初期値を抽選により決定するとともに（ただし、初期値は後述のＡＲＴレベルとＡＲＴステージに支配される）、この特定値を「内部抽選処理」において所定の当選役に当選する度に抽選により決定されるポイント数で減算する。
例えば、特定値の初期値を「１００ポイント」に設定し、「通常パート」中において、「リプレイ役」に当選したときには「５ポイント」、「ベル役」に当選したときには「１０ポイント」、「上段・下段チェリー」に当選したときには「２０ポイント」、「スイカ役」に当選したときには「４０ポイント」、「チャンスリプレイ」に当選したときには「５０ポイント」、「中段チェリー」に当選したときには「１００ポイント」を、特定値から減算する。
また、「チャンスリプレイ」、「スイカ役」、「中段チェリー」などのレア役に当選したときには、減算ポイント数の抽選に加えて、特定値を強制的に「ゼロ」にする特定値ゼロ抽選処理も行うこともできる。
そして、特定値が「ゼロ」になったときに、少なくとも１つのアイテムを付与するか、抽選により２以上のアイテムを付与することもできる。
さらに、特定値が「ゼロ」になり、「通常パート」の残りゲーム数８１が１ゲーム以上であれば、新たな特定値を抽選により決定する。以後、上記当選役に当選するごとの減算と、特定値が「ゼロ」になったときのアイテムの付与と、新たな特定値の抽選による決定とを「通常パート」の残りゲーム数８１が「ゼロ」になるまで繰り返す。また、付与するアイテムの種類は、特定値が「ゼロ」になったタイミングにおいて抽選により決定してもよい。
【００７１】
このような「ポイント減算方式」や「アイテム獲得抽選処理」によるアイテムに付与において、アイテムの獲得し易さは、「ポイント減算方式」や「アイテム獲得抽選処理」において参照される「内部抽選処理」における当選役ごとに設けられた抽選テーブルにおいて設定されている。
つまり、抽選テーブルは、「リプレイ役」、「ベル役」、「上段・下段チェリー役」、「スイカ役」、「チャンスリプレイ役」、及び「中段チェリー役」などの「当選役」ごとに設けられ、「中段チェリー役」の抽選テーブル＞「チャンスリプレイ」の抽選テーブル＞「スイカ役」の抽選テーブル＞「上段・下段チェリー役」の抽選テーブル＞「ベル役」の抽選テーブル＞「リプレイ役」の抽選テーブルの順でアイテムが獲得し易く（ポイント減算方式では、多くのポイントを減算し易く）設定されている。
また、これらの抽選テーブルは、当選役ごとにおいても複数設けられている。
当選役ごとの複数の抽選テーブルは、アイテムが獲得し易さがそれぞれ異なるように設定されている。
例えば、ＡＲＴに最初に突入するときに抽選により決定されるＡＲＴレベル（例えば、レベル１〜５）それぞれに対応する抽選テーブルを当選役ごとに備え、各抽選テーブルはＡＲＴレベルの数値が大きくなるつれ、アイテムが獲得し易く設定されている。
また、ＡＲＴ１セットごとに抽選により決定されるＡＲＴステージ（例えば、ステージ１〜５）それぞれに対応する抽選テーブルを当選役ごとに備え、各抽選テーブルはＡＲＴステージの数値が大きくなるつれ、アイテムが獲得し易く設定されている。なお、ＡＲＴステージの数値は、ＡＲＴレベルに支配され、例えば、ＡＲＴレベルの数値が大きいほど、大きい数値のステージが選択され易いことが好ましい。
なお、上記の例において、アイテムの獲得し易さには、ＡＲＴの連チャンに有利な種類のアイテムの獲得し易さを含む。
また、「ポイント減算方式」における特定値の初期値も「通常パート」の開始時や特定値が「ゼロ」になる度に抽選により決定されるものの、ＡＲＴレベルに支配される。つまり、ＡＲＴレベルの数値が大きくなるつれ、小さい値の初期値が決定され易く設定されている。また、この初期値は、ＡＲＴレベルに支配されるＡＲＴステージの数値が大きくなるつれ、小さい値の初期値が決定され易く設定されている。
【００７２】
また、「通常パート」中は、残りゲーム数８１を増加させる「上乗せ」を行うこともできる。「上乗せ」するゲーム数は、「上乗せゲーム数抽選処理」という抽選処理において当選したときに決定される。この「上乗せゲーム数抽選処理」は、「内部抽選処理」において所定の当選役に当選したときに実行される。
また、上乗せされるゲーム数は、「内部抽選処理」において当選し易い役に当選するよりも当選し難い役に当選する方が多く設定されている。
なお、図１１などに示す残りゲーム数８１は、「上乗せゲーム数抽選処理」において当選した結果、残りゲーム８１に上乗せゲーム数が加算された値として表示されている。
【００７３】
主制御部１０に備えるＲＯＭなどの記憶手段には、「ＡＲＴ継続抽選処理」の手順を制御するプログラムやデータが記憶されており、このプログラムを主制御部１０に備えるＣＰＵがデータを参照しながら実行することにより、以上説明したような特徴的な動作が実現される。
図１６は、このプログラムのフローチャートを示しており、これを参照しながら、上述した特徴的な動作について説明する。
【００７４】
この処理では、最初に、「通常パート」において獲得したアイテム数をセットする（Ｓ１）。
次いで、ＡＲＴレベルやＡＲＴステージを取得する（Ｓ２）。
続いて、「継続演出抽選処理」を実行する（Ｓ３）。この実行により「ＡＲＴ継続抽選ゲーム」中に実行されるアイテムごとの継続演出が決定される。
続いて、消費するアイテムの種類を取得する（Ｓ４）。
そして、決定した継続演出と取得したアイテムの種類から特定される、図９に示す継続当選率に基づいて「ＡＲＴ継続抽選処理」を実行する（Ｓ５）。
「ＡＲＴ継続抽選処理」において継続が決定されたときには（Ｓ６−Ｙｅｓ）、処理を終了し、次回ＡＲＴを連チャンさせる処理に移行する。
一方、「ＡＲＴ継続抽選処理」において継続が決定されなかったときには（Ｓ６−Ｎｏ）、セットしたアイテム数を−１更新する（Ｓ７）。
その後、アイテム数が「０」か否かの判定を行い（Ｓ８）、「０」のときには、次回ＡＲＴを連チャンさせることなく処理を終了し、「０」でないときには、再びＳ３の「継続演出抽選処理」を実行する。そして、アイテム数が「０」になるまで、Ｓ３〜Ｓ７までの処理を繰り返す。
なお、上記フローチャートでは、「継続演出抽選処理」は消費するアイテムの種類を取得する前に実行したが、消費するアイテムの種類を取得した後に実行することもできる。これにより、消費するアイテムの種類と決定される継続演出の種類とに関連性を持たせることができ、これらの組合せに応じて継続、すなわち連チャンの成否をコントロールすることができる。
【００７５】
以上のように、本実施形態に係るスロットマシン１によれば、ＡＲＴなどの特定遊技状態の連チャンの期待度が、獲得したアイテムの種類に応じて変化することから、遊技の単調化を防止し、興趣の向上を図ることができる。
また、１つの継続演出において複数のアイテムをまとめて消費することができることから、遊技の単調化を防止し、興趣の向上を図ることができる。
【００７６】
一方、特許文献１には、ＡＲＴの継続抽選を実行するための権利（ＡＲＴポイント）の数だけ継続抽選を実行するスロットマシンが開示されているが、継続抽選になかなか当選せずに、アイテムをひたすら消費して、継続抽選を実行するだけの状況に追い込まれることもあり、その結果、遊技が単調化してしまい、遊技者の期待感にメリハリを持たせ難かった。
このように、本実施形態のスロットマシン１によれば、従来の遊技機が改善すべき、このような課題の全部又は一部などを解決することができる。
【００７７】
以上、本発明の遊技機の好ましい実施形態について説明したが、本発明に係る遊技機は上述した実施形態にのみ限定されるものではなく、本発明の範囲で種々の変更実施が可能であることはいうまでもない。
【００７８】
例えば、本実施形態では、特定遊技状態をＡＲＴとしたが、ＡＴ又はＲＴでもよい。
また、本実施形態では、ＲＢ（レギュラーボーナス）と、ＢＢ（ビッグボーナス）とを設けたが、ＲＢ又はＢＢのいずれか一方だけでもよく、又は、いずれも設けなくてもよい。
また、本実施形態では、「通常パート」中は、残りゲーム数が増加する「上乗せ」を可能としたが、「通常パート」中のゲーム数は固定でもよい。
【００７９】
また、本実施形態では、「通常パート」中に獲得したアイテム数を視認可能としたが、視認不能な「通常パート」を設けることもできる。この場合、「通常パート」中に獲得したアイテム数は、「継続抽選パート」に移行するときや移行の前後において視認可能となる。なお、視認不能な「通常パート」と視認可能な「通常パート」との切り替えは、遊技者による操作に基づいて行われることが好ましいが、抽選等により自動的に切り替えてもよい。
また、視認不能な「通常パート」中においては、視認可能な「通常パート」への切り替えを禁止することが好ましいが、遊技者の操作に基づき切り替えを許容してもよい。
【００８０】
また、本実施形態では、継続演出制御手段などの各種手段としての動作を主制御部１０が行ったが、副制御部２０がその一部又は全部を行い、副制御部２０が各種手段として動作することもできる。
また、反対に、副制御部２０が実行する動作を、主制御部１０がその一部又は全部を行い、主制御部１０が各種手段として動作することもできる。
【００８１】
また、本発明をスロットマシンに適用したがパチンコ（例えば、玉スロ）などその他の遊技機に適用することもできる。
また、メダル、遊技球等の現物の遊技媒体を用いることなく、データ形式の擬似遊技媒体を用いてゲームを実行可能な、いわゆる封入式遊技機にも、本発明を適用することができる。
【００８２】
また、各実施形態では、可変表示手段としてモータにより駆動制御されるリールを用いたが、これに代えて又はこれに加えて、液晶表示器などの表示器にリール等の図柄が変動する画像を表示させることにより、表示器を識別情報の可変表示手段として用いることもできる。
【００８３】
また、本実施形態に係るスロットマシン１から、以下のような（１）〜（３）の遊技機の発明を抽出することもできる。
【００８４】
（１）遊技者の開始操作に基づいて抽選を行い、当該抽選の結果に基づいて遊技者に有利な特定遊技状態の制御を行う遊技機において、所定条件の成立に基づいて付与されるアイテムを管理するアイテム管理手段と、前記アイテムの消費と関連して継続演出を実行し、当該継続演出において予め定められた割合で前記特定遊技状態が継続することを示すように制御する継続演出制御手段と、を備え、前記継続演出の種類には、第１継続演出と第２継続演出とが含まれ、前記アイテムの種類には、第１アイテムと第２アイテムとが含まれ、前記継続演出制御手段は、前記第１アイテムが消費される場合であって、前記第１継続演出が実行される場合には、第１の割合で前記特定遊技状態が継続することを示すように制御し、前記第２アイテムが消費される場合であって、前記第１継続演出が実行される場合には、前記第１の割合よりも高い第２の割合で前記特定遊技状態が継続することを示すように制御し、前記第１アイテムと前記第２アイテムのいずれが消費される場合であっても、前記第２継続演出が実行される場合には、第３の割合で前記特定遊技状態が継続することを示すように制御することを特徴とする遊技機。
【００８５】
（２）遊技者の開始操作に基づいて抽選を行い、当該抽選の結果に基づいて遊技者に有利な特定遊技状態の制御を行う遊技機において、所定条件の成立に基づいて付与されるアイテムを管理するアイテム管理手段と、前記アイテムの消費と関連して継続演出を実行し、当該継続演出において予め定められた割合で前記特定遊技状態が継続することを示すように制御する継続演出制御手段と、を備え、前記継続演出の種類には、第１継続演出と第２継続演出とが含まれ、前記アイテムの種類には、第１アイテムと第２アイテムとが含まれ、前記継続演出制御手段は、前記第１アイテムが消費される場合であって、前記第１継続演出が実行される場合には、所定割合で前記特定遊技状態が継続することを示すように制御し、前記第１アイテムが消費される場合であって、前記第２継続演出が実行される場合には、前記所定割合よりも高い割合で前記特定遊技状態が継続することを示すように制御し、前記第２アイテムが消費される場合であって、前記第１継続演出が実行される場合には、前記所定割合よりも高い割合で前記特定遊技状態が継続することを示すように制御し、前記第２アイテムが消費される場合であって、前記第２継続演出が実行される場合には、前記所定割合よりも低い割合で前記特定遊技状態が継続することを示すように制御することを特徴とする遊技機。
【００８６】
（３）遊技者の開始操作に基づいて抽選を行い、当該抽選の結果に基づいて遊技者に有利な特定遊技状態の制御を行う遊技機において、所定条件の成立に基づいて付与されるアイテムを管理するアイテム管理手段と、前記アイテムの消費と関連して継続演出を実行し、当該継続演出において所定割合で前記特定遊技状態が継続することを示すように制御する継続演出制御手段と、を備え、前記継続演出の種類には、第１継続演出と第２継続演出とが含まれ、前記アイテムの種類には、第１アイテムと第２アイテムとが含まれ、前記継続演出制御手段は、前記第１アイテムが消費される場合には、前記第１継続演出よりも前記第２継続演出が実行される場合の方が高い割合で前記特定遊技状態が継続することを示すように制御し、前記第２アイテムが消費される場合には、前記第２継続演出よりも前記第１継続演出が実行される場合の方が高い割合で前記特定遊技状態が継続することを示すように制御することを特徴とする遊技機。
【符号の説明】
【００８７】
１  スロットマシン
２  メダル投入口
２ａ  ベットボタン
３  スタートレバー
５  停止ボタン
８  表示器
９  スピーカ
１０  主制御部
１１  ランプ
２０  副制御部
４１  リール
【図１】
2018130505.tif 000003
【図２】
2018130505.tif 000004
【図３】
2018130505.tif 000005
【図４】
2018130505.tif 000006
【図５】
2018130505.tif 000007
【図６】
2018130505.tif 000008
【図７】
2018130505.tif 000009
【図８】
2018130505.tif 000010
【図９】
2018130505.tif 000011
【図１０】
2018130505.tif 000012
【図１１】
2018130505.tif 000013
【図１２】
2018130505.tif 000014
【図１３】
2018130505.tif 000015
【図１４】
2018130505.tif 000016
【図１５】
2018130505.tif 000017
【図１６】
2018130505.tif 000018